(57)【要約】      （修正有）【課題】細長い直管を有し、狭い空間に置くことができ、また、移動に極めて便利であるラックを提供する。【解決手段】ラック２０は、物品を収納するための棚板２１と、棚板２１の一方側に接続され、かつ一方側の延在方向と直交する直管２２と、直管２２の一端に接続される台座２３とを備える。ラック２０は、細長い直管２２を有するため、例えば、複数の高さが棚板２１より低い一般的なラックの間のような狭い空間に置かれることが可能である。また、ラック２０が極めて移動に便利であり、直管２２を握れば1人で片手でラック全体を持ち上げることができる。【選択図】図２
0003189290.tif 000002
【実用新案登録請求の範囲】
【請求項１】
物品を収納するための棚板と、
棚板の一方側に接続され、前記一方側の延在方向と直交する直管と、
直管の一端に接続される台座と、
を備えることを特徴とするラック。
【請求項２】
棚板は二層以上であり、上下一列に配置され、
棚板の直管と接続される側において、斜め上方へ延びる複数の上溝と同じ数の斜め下方へ延びる下溝とが前記延在方向に沿って並置され、上溝と下溝の延在方向は前記延在方向と直交し、各上溝と下溝とは一対一で対応し、対応する上溝と下溝の延在方向は同一垂直面上にあり、
上下隣接する棚板は複数の接続バーで接続され、接続バーの上下両端にそれぞれ折り曲げ部を有し、上端の折り曲げ部は上方に位置する棚板の下溝に挿入され、下端の折り曲げ部は下方に位置する棚板の上溝に挿入されることを特徴とする請求項１記載のラック。
【請求項３】
ボルト孔を有する底板と、底板の同一側に位置するとともに底板の平面に直交し、末端に上向きのフックをそれぞれ有する両アームとからなる接続部材をさらに備え、
棚板の直管に接続される側の上面に前記延在方向と直交する溝を２つ有し、２つの溝同士の間隔は両アーム同士の間隔と等しく、
棚板は、上面からそれぞれ２つの溝内へ延びながら湾曲して２つのタングが形成され、フックはそれぞれのタングの自由端に引っ掛けられ、
直管と接続部材とは、直管におけるボルト孔と底板におけるボルト孔を貫通するボルトとを介して接続されることを特徴とする請求項１または２記載のラック。
【請求項４】
底板の方向と両アームの延在方向との角度は９０°未満であることを特徴とする請求項３記載のラック。
【請求項５】
直管は上段と下段と分けられ、上段は下段内に挿入され、
下段の上端部付近にボルト孔が設けられ、ボルトがボルト孔を貫通すると共に、下へスライドしないように上段を押し上げることを特徴とする請求項１記載のラック。
【請求項６】
直管の下端は平板に接続され、平板は台座に固定されることを特徴とする請求項１または５記載のラック。
【請求項７】
開口が一定の角度をなすとともに、開口の内部に歯がそれぞれ形成された２つの挟持口を有するヘッド札クリップを複数備え、
棚板における直管に接続される側の上端に複数の切欠きが形成され、
第１の挟持口は、前記上端の下方に位置しかつ下方向に折り曲げられた縁を挟み、かつ前記挟持口の歯が切欠き内に嵌め込まれ、第２の挟持口はヘッド札の下縁を挟み、前記挟持口の歯がヘッド札の下縁付近の穴内に嵌め込まれることを特徴とする請求項１または２記載のラック。
【請求項８】
棚板の上面に前記延在方向と直交する溝を複数有し、
棚板において、溝内に垂直に挿入されて棚板の内部を複数の収納空間に区切るセパレータを少なくとも１つ備えることを特徴とする請求項１または２記載のラック。
【請求項９】
棚板は、複数の棚板ユニットを前記延在方向に沿って組み合わせてなり、
各棚板ユニットの左右縁は、前記延在方向に平行な接続穴をそれぞれ有し、接続ロッドが左右隣接する棚板ユニットの接続穴に同時に挿入されることで、２つの棚板ユニットが接続されることを特徴とする請求項１または２記載のラック。
【考案の詳細な説明】
【技術分野】
【０００１】
本考案は、機械技術分野に関するものであり、特にラックに関する。
【背景技術】
【０００２】
スーパーマーケットでは、商品陳列用の様々なラックが使用されている。現在、スーパーマーケットで使用されるラックは、図１に示すように略直方体形状となっている。図１はスーパーマーケットにおける一般的なラックの概略図である。このようなラックは、狭い空間に置くことができず、移動に不便である。
【考案の概要】
【考案が解決しようとする課題】
【０００３】
このようなラックは狭い空間に置くことができず、移動に不便である。
【課題を解決するための手段】
【０００４】
請求項１に係る本考案によれば、ラックは、物品を収納するための棚板と、棚板の一方側に接続され、前記一方側の延在方向と直行する直管と、直管の一端に接続される台座とを備えている。
【考案の効果】
【０００５】
本考案のラックは細長い直管を有するため、例えば、複数の高さが棚板より低い一般的なラックの間のような狭い空間に置くことができる。また、本考案のラックによれば移動に極めて便利であり、直管を握れば１人で片手でラック全体を持ち上げることができる。
【図面の簡単な説明】
【０００６】
【図１】スーパーマーケットにおける一般的なラックの概略図を示す。
【図２】本実用新案の実施例におけるラックの基本構成部分の概略図を示す。
【図３Ａ】本実用新案の実施例におけるラックの棚板の接続の概略図を示す。
【図３Ｂ】図３Ａの枠Ａ内の部分拡大図を示す。
【図４Ａ】本実用新案の実施例における接続部材と棚板との接続操作の各段階の概略図を示す。
【図４Ｂ】本実用新案の実施例における接続部材と棚板との接続操作の各段階の概略図を示す。
【図４Ｃ】本実用新案の実施例における接続部材と棚板との接続操作の各段階の概略図を示す。
【図４Ｄ】本実用新案の実施例における接続部材と棚板との接続操作の各段階の概略図を示す。
【図４Ｅ】図４Ａの部分断面図を示す。
【図４Ｆ】図４Ｂの部分断面図を示す。
【図４Ｇ】図４Ｃの部分断面図を示す。
【図４Ｈ】図４Ｄの部分断面図を示す。
【図４Ｉ】本実用新案の実施例における棚板と直管との接続の概略図を示す。
【図５】本実用新案の実施例における直管の装着を表す概略図を示す。
【図６Ａ】本実用新案の実施例におけるヘッド札クリップの側面図を示す。
【図６Ｂ】本実用新案の実施例におけるヘッド札の装着を表す概略図を示す。
【図６Ｃ】本実用新案の実施例におけるヘッド札の装着を表す概略図を示す。
【図６Ｄ】本実用新案の実施例におけるヘッド札の装着を表す概略図を示す。
【図７】本実用新案の実施例における棚板内の収納空間の区切りを表す概略図を示す。
【図８】本実用新案の実施例における棚板の組み合わせ方式を表す概略図を示す。
【考案を実施するための形態】
【０００７】
ラックは、物品を収納するための棚板と、棚板の一方側に接続され、前記一方側の延在方向と直交する直管と、直管の一端に接続される台座とを備えている。
【実施例】
【０００８】
以下、図面を用いて本実用新案の例示的な実施例について説明する。この説明にはより十分に説明するための、本実用新案の各詳細についての説明が含まれており、これらは例示に過ぎないと理解される。ここで記載された実施例に対し、本実用新案の範囲及び同一の思想内において変更、修正が生じることは、当業者に容易に想到しうることである。同様に、明瞭かつ簡潔さを図るために下記記載において、公知の機能と構造についての記載を省略している。
【０００９】
図２は、本実用新案の実施例におけるラックの基本構成部分の概略図である。図２に示すように、ラック２０は、主に、棚板２１、直管２２、台座２３を備えている。直管２２は棚板２１の一方側（たとえば後端）に接続されて、前記一方側の延在方向（棚板後端の延びる方向）と直交し、台座２３は直管２２の一端に接続されている。図２から分かるように、このようなラックは細長い直管を有するため、例えば、高さが棚板２１より低い複数の一般的なラックの間など狭い空間に置くことが可能である。また、図２におけるラック２０は移動に極めて便利であり、直管を握れば１人で片手でラック全体を持ち上げることができる。
【００１０】
棚板２１は、上下方向に沿って一段に二層以上設けられてもよい。図２では、３つの棚板があるラックが示されている。図３Ａおよび図３Ｂは棚板の接続を示す。図３Ａは本実用新案の実施例におけるラックの棚板の接続の概略図である。図３Ｂは図３Ａの枠Ａ内の部分拡大図である。
【００１１】
図３Ａ、図３Ｂに示すように、棚板２１の直管２２に接続される側において、延在方向に沿って（矢印３１に示すように）、斜め上方へ（矢印３２に示すように）延びる複数の上溝５と、同じ数の斜め下方へ（矢印３３に示すように）延びる下溝６とが並置されている。上溝５、下溝６の延在方向は前記（一方側の）延在方向と直交している。すなわち、矢印３２、３３はそれぞれ矢印３１方向に直交しており、３つの矢印は図面において三次元的に表わされる。各上溝５と下溝６とは一対一に対応し、対応する上溝５と下溝６の延在方向は同一垂直面上にある。
【００１２】
上下隣接する棚板２１は複数の接続バー３０で接続されており、図（図３Ａ）では６つの接続バーを使用した具体例が示されている。接続バー３０の上下両端はそれぞれ折り曲げ部３０１、３０２を有し、上端の折り曲げ部３０１は上方に位置する棚板２１の下溝６に挿入され、下端の折り曲げ部３０２は下方に位置する棚板２１の上溝５に挿入される。挿入方向は図（図３Ａ）において、接続バー３０の上下両端付近の短い矢印で示されている。
【００１３】
上記の棚板間の接続方式によれば、棚板の層数を増減することができ、かつ接続が強固なものとなる。接続バー３０は、その構造が極めて簡単であってラック全体における重量の割合が比較的少なく、携帯に便利である。
【００１４】
棚板と直管とは図４Ａ〜図４Ｈに示す接続部材により接続される。図４Ａ〜図４Ｄは、本実用新案の実施例における接続部材と棚板との接続操作の各段階の概略図であり、図４Ｅ〜４Ｆは、それぞれ図４Ａ〜図４Ｄの部分断面図である。
【００１５】
接続部材４０は、ボルト孔４１１を有する底板４１と、底板４１の同一側に位置するとともに底板平面に直交し、末端に上向きのフック４２１１、４２２１をそれぞれ有する両アーム４２１、４２２とにより構成されている。直管２２に接続される側の棚板２１の上面に、直管２２に接続される側の棚板２１の延在方向と直交する溝４を２つ有し、２つの溝４同士の間隔と、両アーム４２１、４２２同士の間隔とが等しいことにより、両アーム４２１、４２２をそれぞれ２つの溝４内に同時に挿入可能である。直管２２と接続部材４０とは、直管のボルト孔２０１と底板４１のボルト孔４１１とを貫通するボルトを介して接続される。棚板２１は、上面から２つの溝４内へ延びながら湾曲して、２つのタング４３（図４Ｅ等、各部分断面図参照）が形成され、フック４２１１、４２２１はそれぞれのタング４３の自由端４３１に引っ掛けられている。
【００１６】
（接続部材４０と棚板２１と）組み立てるには、まず図４Ａ、図４Ｅに示すように、接続部材４０の両アームを図の矢印に示す方向に斜め下方向へ向けて溝４に挿入する。そして、図４Ｂ、図４Ｆに示すように、接続部材を回転させて図における矢印方向にフック４２１１、４２２１の一端を上方向へ持ち上げる。続いて、図４Ｃ、図４Ｇに示すように、図における矢印方向へ接続部材４０を内側へ押し込む。最後に、図４Ｄ、図４Ｈに示すように、図における矢印方向へ接続部材４０を外側へ引き出し、フック４２１１、４２２１を２つのタング４３の自由端４３１にそれぞれ引っ掛ける。
【００１７】
底板４１の方向（傾き方向。矢印４４で示す方向）と両アーム４２１、４２２の延在方向（矢印４５で示す方向）との間の角度は９０°未満である。必要に応じて角度が異なる各種の接続部材４０を選択することができ、棚板が直管に接続された後に棚板と水平面との間に一定の角度が形成され、棚板から物品を取り出すことが容易になる。
【００１８】
組み立てが完成してから、棚板と直管とを接続する。図４Ｉは本実用新案の実施例における棚板と直管との接続を表す概略図である。図４Ｉに示すように、接続部材４０におけるボルト孔と直管２２におけるボルト孔２０１とを利用して、棚板２１を直管２２に固定する。接続に使用されるボルトの数は棚板２１の数と同数である。
【００１９】
図５は、本実用新案の実施例における直管の装着を表す概略図である。図５に示すように、直管２２は上段２２２と下段２２３とに分けられ、上段２２２は下段２２３内に挿入されている。下段２２３の上端部付近にボルト孔２２４が設けられており、ボルト２２５がボルト孔２２４を貫通するとともに、上段２２２が下へスライドしないよう上段２２２を押し上げる。このように、直管の長さが調整可能であるから、物品の取り出しが容易となり、異なる空間条件にも適用することができる。直管の下段２２３の下端は平板２３１に接続され、平板２３１はたとえばボルトにより台座２３に固定される。このように、異なる空間状況にあわせて各種大きさの台座２３を使用、交換することができる。
【００２０】
実施例におけるラックの頂部にはヘッド札を設けることが可能であり、ヘッド札はヘッド札クリップによって棚板の頂部に挟まれる。図６Ａ〜図６Ｄは、本実用新案の実施例におけるヘッド札の装着を表す概略図である。図６Ａはヘッド札クリップの側面図であり、ヘッド札クリップ６０は２つの挟持口６０１、６０２を備え、挟持口の開口は一定の角度をなすとともにその内部（開口付近）に歯６０３、６０４がそれぞれ形成されている。図６Ｂに示すように、棚板２１の、直管２２に接続される側（たとえば後面）の上端には複数の切欠き３が形成されている。図６Ｃ、図６Ｄに示すように、第１の挟持口６０１は、前記上端の下方に位置しかつ下方向に折り曲げられた縁（折り曲げ部）３０１を挟み、かつ前記挟持口の歯６０３が切欠き３内に嵌め込まれる。第２の挟持口６０２はヘッド札６１の下縁を挟み、かつ前記挟持口の歯６０４がヘッド札６１の下縁付近の穴６１１内に嵌め込まれる。
【００２１】
図７は、本実用新案の実施例における棚板内の収納空間の区切りを表す概略図である。図７に示すように、棚板２１の上面に溝４に平行な溝７０が複数形成され、棚板２１において、溝７０内に少なくとも１つのセパレータ７１が垂直に挿入されることにより棚板２１の内部が複数の収納空間に区切られる。溝７０に垂直に挿入されるセパレータをさらに設ければ、棚板２１の内部が区切られて、様々な物品を載置する収納空間をより多く設けることができる。
【００２２】
図８は、本実用新案の実施例における棚板の組み合わせ方式を表す概略図である。図８に示すように、棚板２１は、複数の棚板ユニット２１０を、直管２２に接続される側の延在方向に沿って組み合わせてなり、各棚板ユニット２１０の左右縁は前記延在方向に平行な接続穴１をそれぞれ有している。（棚板ユニットの）接続を強固とするために各側の縁に２つ以上の接続穴を形成することができ、図面では各側の縁に２つの接続穴が形成されている。接続ロッド１１が左右隣接する棚板ユニット２１０の接続穴１に同時に挿入されることで、（左右）２つの棚板ユニット２１０が接続される。これにより、棚板を左右に（幅方向）広げて異なる空間条件に対応することができる。
【００２３】
上記具体的な実施形態は、本実用新案の保護範囲を制限するものではない。当業者に周知のとおり、設計の要求およびその他の要素に応じて、様々な修正、組合せ、サブ組合せおよび代替の発生が可能である。本実用新案の思想と原則の範囲内で行われる如何なる修正、均等物との代替および改善なども、本実用新案の保護範囲内に含まれるべきである。
【産業上の利用可能性】
【００２４】
本考案によれば、狭い空間に配置するラックに広範囲に応用できる。
【符号の説明】
【００２５】
１    接続穴
３    切欠き
４、７０    溝
５    上溝
６    下溝
１１    接続ロッド
２０    ラック
２１    棚板
２２    直管
２３    台座
３０    接続バー
４０    接続部材
４１    底板
４３    タング
６０    ヘッド札クリップ
６１    ヘッド札
７１    セパレータ
２０１    直管におけるボルト孔
２１０    棚板ユニット
２２２    上段
２２３    下段
２２４    ボルト孔
２３１    平板
３０１、３０２    折り曲げ部
４１１    底板におけるボルト孔
４２１、４２２    両アーム
４３１    自由端
６０１、６０２    挟持口
６０３、６０４    歯
６１１    穴
４２１１、４２２１    フック
【図１】
0003189290.tif 000003
【図２】
0003189290.tif 000004
【図３Ａ】
0003189290.tif 000005
【図３Ｂ】
0003189290.tif 000006
【図４Ａ】
0003189290.tif 000007
【図４Ｂ】
0003189290.tif 000008
【図４Ｃ】
0003189290.tif 000009
【図４Ｄ】
0003189290.tif 000010
【図４Ｅ】
0003189290.tif 000011
【図４Ｆ】
0003189290.tif 000012
【図４Ｇ】
0003189290.tif 000013
【図４Ｈ】
0003189290.tif 000014
【図４Ｉ】
0003189290.tif 000015
【図５】
0003189290.tif 000016
【図６Ａ】
0003189290.tif 000017
【図６Ｂ】
0003189290.tif 000018
【図６Ｃ】
0003189290.tif 000019
【図６Ｄ】
0003189290.tif 000020
【図７】
0003189290.tif 000021
【図８】
0003189290.tif 000022